(57)【要約】【課題】外部電源の電圧が機器の入力電圧仕様範囲外まで低下した場合に、蓄電手段からの電力を供給する負荷を選択することで、蓄電手段から機器に供給される消費電力を小さくすることにある。【解決手段】電圧検出部２８により検出された入力電圧値Ｖｉｎに基づいて、交流直流変換部１６が出力可能な最大電流値Ｉｍａｘを算出する最大電流値算出部４０ａと、最大電流値算出部４０ａにより算出された最大電流値Ｉｍａｘと、対象機器の現在の動作モードに必要とされる必要電流値Ｉｈとを比較して、補助電源３４からの電力を供給する負荷を選択する負荷選択部４０ｂと、を備えることを特徴とする。【選択図】図１
2019090882.tif 000002
【特許請求の範囲】
【請求項１】
外部電源から供給される交流電力を直流電力に変換する交流直流変換手段と、
前記外部電源から供給される交流電力から変換された直流電力を充電するとともに、直流電力を放電可能な蓄電手段と、
前記外部電源から供給される入力電圧値を検出する電圧検出手段と、
前記電圧検出手段により検出された入力電圧値に基づいて、対象機器が備える複数の負荷の中から前記蓄電手段からの電力を供給する負荷を選択する制御手段と、を備えた電源装置であって、
前記電圧検出手段により検出された前記入力電圧値に基づいて、前記交流直流変換手段が出力可能な最大電流値を算出する最大電流値算出手段と、
前記最大電流値算出手段により算出された前記最大電流値と、前記対象機器の現在の動作モードに必要とされる必要電流値とを比較して、前記蓄電手段からの電力を供給する負荷を選択する負荷選択手段と、を備えることを特徴とする電源装置。
【請求項２】
前記交流直流変換手段及び前記蓄電手段の一方に接続され、他方を前記対象機器の各負荷に接続される複数のスイッチ手段を備え、
前記制御手段は、前記負荷選択手段により選択された負荷に対してのみ、前記蓄電手段からの電力を供給するように前記スイッチ手段を切り替えることを特徴とする電源装置。
【請求項３】
前記動作モードに基づいて、前記動作モードにおいて必要な前記必要電流値を演算する演算手段を備えたことを特徴とする請求項１記載の電源装置。
【請求項４】
対象機器から取得した情報に基づいて、対象機器の動作モードを判定するモード判定手段を備えたことを特徴とする請求項１又は３記載の電源装置。
【請求項５】
前記負荷の雰囲気温度を検出する温度検出手段を備え、
前記演算手段は、前記温度検出手段により検出された前記雰囲気温度が所定の温度以下である場合に、前記必要電流値を増やすように補正することを特徴とする請求項１又は３記載の電源装置。
【請求項６】
前記演算手段は、前記負荷の利用時間が所定の時間を経過した場合に、前記必要電流値を増やすように補正することを特徴とする請求項３記載の電源装置。
【請求項７】
前記演算手段は、前記負荷の利用時間が所定の時間を経過した場合に、前記最大電流値を減らすように補正することを特徴とする請求項２記載の電源装置。
【請求項８】
請求項１乃至７の何れか一項記載の電源装置と、
前記電源装置から供給される電力を消費する複数の負荷と、を備えたことを特徴とする画像形成装置。
【請求項９】
外部電源から供給される交流電力を直流電力に変換する交流直流変換手段と、
前記外部電源から供給される交流電力から変換された直流電力を充電するとともに、電力を放電可能な蓄電手段と、
前記外部電源から供給される電圧を検出する電圧検出手段と、
前記電圧検出手段により検出された入力電圧値に基づいて、対象機器が備える複数の負荷の中から前記蓄電手段からの電力を供給する負荷を選択する制御手段と、を備えた電源装置による電源制御方法であって、
前記電圧検出手段により検出された前記入力電圧値に基づいて、前記交流直流変換手段が出力可能な最大電流値を算出する最大電流値算出ステップと、
前記最大電流値算出手段により算出された前記最大電流値と、前記対象機器の現在の動作モードに必要とされる必要電流値とを比較して、前記蓄電手段からの電力を供給する負荷を選択する負荷選択ステップと、を実行することを特徴とする電源制御方法。
【請求項１０】
請求項９記載の電源制御方法における各ステップをプロセッサに実行させることを特徴とするプログラム。
【発明の詳細な説明】
【技術分野】
【０００１】
本発明は、電源装置、画像形成装置、電源制御方法、及びプログラムに関する。
【背景技術】
【０００２】
一般に、外部電源の電圧変動が大きい地域では、供給元の外部電源の電力不足や、配線系統のインピーダンス変動に起因して、外部電源の電圧が機器の入力電圧仕様の範囲外まで低くなることがある。
一般に、外部電源の電圧が機器の入力電圧仕様の範囲よりも低い場合は、機器自体がその動作を停止する。
しかし、頻繁に外部電源の電圧低下が発生する地域においては、機器の入力電圧仕様の範囲外となる電圧環境下においても、機器の動作を停止させずに、継続して機器を動作させることが求められている。
そこで、機器においては、外部電源の電圧低下が発生した際には、バッテリを搭載した補助電源から電力を供給することによって、継続して機器を動作させるという技術が知られている。
特許文献１には、外部電源からの入力電圧が低下した時にも、画像形成装置の動作を保証することを目的として、外部電源が所定電圧に低下したことを検知した時点において、特定の負荷もしくはすべての負荷に対して、補助電源（蓄電手段）から電力を供給するという技術が開示されている。
【発明の概要】
【発明が解決しようとする課題】
【０００３】
しかし、従来、外部電源の電圧低下が発生した際に、補助電源（蓄電手段）から電力を機器に供給する電源装置にあっては、入力電圧が低下した時点において、補助電源から供給できる電力量を考慮せずに、補助電源から電力を供給していた。
このため、補助電源から機器に供給される消費電力が大きくなるといった問題があった。
特許文献１にあっても、補助電源を備え、外部電源からの入力電圧が低下したことを検出した際に、補助電源から特定の負荷、もしくはすべての負荷に電力を供給するという点が開示されている。しかし、補助電源から機器に供給される消費電力が大きくなるといった問題は解消できていない。
本発明の一実施形態は、上記に鑑みてなされたもので、その目的は、外部電源の電圧が機器の入力電圧仕様範囲外まで低下した場合に、蓄電手段からの電力を供給する負荷を選択することで、蓄電手段から機器に供給される消費電力を小さくすることにある。
【課題を解決するための手段】
【０００４】
上記課題を解決するたに、請求項１記載の発明は、外部電源から供給される交流電力を直流電力に変換する交流直流変換手段と、前記外部電源から供給される交流電力から変換された直流電力を充電するとともに、直流電力を放電可能な蓄電手段と、前記外部電源から供給される入力電圧値を検出する電圧検出手段と、前記電圧検出手段により検出された入力電圧値に基づいて、対象機器が備える複数の負荷の中から前記蓄電手段からの電力を供給する負荷を選択する制御手段と、を備えた電源装置であって、前記電圧検出手段により検出された前記入力電圧値に基づいて、前記交流直流変換手段が出力可能な最大電流値を算出する最大電流値算出手段と、前記最大電流値算出手段により算出された前記最大電流値と、前記対象機器の現在の動作モードに必要とされる必要電流値とを比較して、前記蓄電手段からの電力を供給する負荷を選択する負荷選択手段と、を備えることを特徴とする。
【発明の効果】
【０００５】
本発明によれば、外部電源の電圧が機器の入力電圧仕様範囲外まで低下した場合に、蓄電手段からの電力を供給する負荷を選択することで、蓄電手段から機器に供給される消費電力を小さくすることができる。
【図面の簡単な説明】
【０００６】
【図１】本発明が適用可能な画像形成装置の概略的な機構構成を示す断面図である。
【図２】図１に示す電源装置の電源供給系統の回路図を含むブロック図である。
【図３】本発明の一実施形態に係る電源装置の機能を示すブロック図である。
【図４】外部電源の入力電圧値と低電圧電源が出力可能な最大電流値の関係を示した図である。
【図５】従来の補助電源における低入力電圧時の消費電力の大きさを示した図である。
【図６】本発明の一実施形態に係る画像形成装置における低入力電圧時の消費電力の大きさを示した図である。
【図７】本発明の一実施形態に係る画像形成装置における低入力電圧時の消費電力の大きさを示した図である。
【図８】（ａ）は本発明の一実施形態に係る電源装置の動作を示すメインルーチンのフローチャートであり、（ｂ）は本発明の一実施形態に係る電源装置の動作を示すサブルーチンのフローチャートである。
【図９】印刷中モード時に必要な必要電流値と、外部電源の入力電圧値に応じて補助電源から電力供給する負荷との関係を示した図である。
【図１０】（ａ）は本発明の一実施形態に係る電源装置の動作を示すメインルーチンのフローチャートであり、（ｂ）は本発明の一実施形態に係る電源装置の動作（印刷中モード）を示すサブルーチンのフローチャートである。
【図１１】待機中モードに必要な必要電流値と、外部電源の入力電圧値に応じて補助電源（蓄電手段）から電力供給する負荷との関係を示した図である。
【図１２】（ａ）は本発明の一実施形態に係る電源装置の動作を示すメインルーチンのフローチャートであり、（ｂ）は本発明の一実施形態に係る電源装置の動作（待機中モード）を示すサブルーチンのフローチャートである。
【図１３】雰囲気温度に応じて、機器が必要な必要電流値を補正する温度に応じた必要電流値補正処理を示すフローチャートである。
【図１４】印刷枚数に応じて、機器が必要な必要電流値を補正する印刷枚数に応じた必要電流値補正処理を示すフローチャートである。
【図１５】印刷枚数に応じて、低電圧電源が出力可能な最大電流値を補正する印刷枚数に応じた最大電流値補正処理を示すフローチャートである。
【発明を実施するための形態】
【０００７】
以下、本発明を図面に示した実施の形態により詳細に説明する。
本発明は、外部電源の電圧が機器の入力電圧仕様範囲外まで低下した場合に、蓄電手段からの電力を供給する負荷を選択することで、蓄電手段から機器に供給される消費電力を小さくするために、以下の構成を有する。
すなわち、本発明の電源装置は、外部電源から供給される交流電力を直流電力に変換する交流直流変換手段と、外部電源から供給される交流電力から変換された直流電力を充電するとともに、直流電力を放電可能な蓄電手段と、外部電源から供給される入力電圧値を検出する電圧検出手段と、電圧検出手段により検出された入力電圧値に基づいて、対象機器が備える複数の負荷の中から蓄電手段からの電力を供給する負荷を選択する制御手段と、を備えた電源装置であって、電圧検出手段により検出された入力電圧値に基づいて、交流直流変換手段が出力可能な最大電流値を算出する最大電流値算出手段と、最大電流値算出手段により算出された最大電流値と、対象機器の現在の動作モードに必要とされる必要電流値とを比較して、蓄電手段からの電力を供給する負荷を選択する負荷選択手段と、を備えることを特徴とする。
以上の構成を備えることにより、外部電源の電圧が機器の入力電圧仕様範囲外まで低下した場合に、蓄電手段からの電力を供給する負荷を選択することで、蓄電手段から機器に供給される消費電力を小さくすることができる。
上記記載の本発明の特徴について、以下の図面を用いて詳細に解説する。但し、この実施形態に記載される構成要素、種類、組み合わせ、形状、その相対配置などは特定的な記載がない限り、この発明の範囲をそれのみに限定する主旨ではなく単なる説明例に過ぎない。
上記の本発明の特徴に関して、以下、図面を用いて詳細に説明する。
【０００８】
＜画像形成装置＞
図１は、本発明が適用可能な画像形成装置の概略的な機構構成を示す断面図である。
図１に示す画像形成装置１は、デジタル複合機からなり、複写機能と、プリンタ機能、およびファクシミリ機能等を有している。
操作部のアプリケーション切り替えキーにより、複写機能、プリンタ機能、およびファクシミリ機能を順次に切り替えて機能モードを選択することが可能となっており、複写機能の選択時には複写モードとなり、プリンタ機能の選択時にはプリンタモードとなり、ファクシミリモードの選択時にはファクシミリモードとなる。
【０００９】
図１を参照して、画像形成装置１での画像形成の流れの一例として複写モードについて簡単に説明する。
複写モードでは、原稿束が自動原稿送り装置（ＡＤＦ）２により順に画像読み取り部３に給送され、画像読み取り部３により画像情報が読み取られる。そして、その読み取られた画像情報は、画像処理手段を介して書き込みユニット４により光情報に変換され、感光体ドラム６は、帯電器により一様に帯電された後に書き込みユニット４からの光情報により露光されて静電潜像が形成される。
この感光体ドラム６上の静電潜像は、現像部７により現像されてトナー像となる。このトナー像は、搬送ベルト８により転写紙に転写される。転写紙は、定着部９によりトナー像が定着され、排出される。
画像形成装置１には、電源装置１０が設けられており、交流電源である外部電源１２から供給される電力を電源装置１０が直流電力に変換して、上述した各部の負荷に直流電力を供給する。
本実施形態では、画像形成装置１を対象機器として扱っているが、対象機器は画像形成装置１に代わって、パーソナルコンピュータ、プロジェクタ、電子黒板等であってもよい。
また、本実施形態では、画像形成装置１の動作モードとして、ウォームアップモード、待機中モード、印刷中モード、省エネモードなどがあることとして扱っている。なお、ウォームアップモードは、印刷が可能な状態に向けて準備している状態である。待機中モードは、ウォームアップが完了して印刷ジョブを待っている状態である。印刷中モードは、現在、印刷中である状態である。省エネモードは、必要最低限の機能のみが有効な状態である。
本実施形態では、対象機器として画像形成装置１について説明しているが、パーソナルコンピュータ、プロジェクタ、電子黒板等も対象機器として扱え、これらの対象機器では、動作モードの呼び名が異なる場合もある。
【００１０】
＜電源装置＞
図２は、図１に示す電源装置１０の電源供給系統の回路図を含むブロック図である。
電源装置１０は、低電圧電源１３、制御基板１４、補助電源３４を備えている。
低電圧電源１３は、外部電源１２より直流電圧（２４Ｖ、５Ｖ）を生成する。低電圧電源が生成した直流電圧は、制御基板１４に供給される。また、外部電源１２はハロゲンヒータ２５に交流電圧を供給している。
低電圧電源１３に設けられた交流直流変換部１６は、ノイズフイルター１７、ダイオードブリッジＤＢ１、アルミ電解コンデンサＣ１、トランスＴ１、スイッチング動作に用いるＦＥＴ２０、ＦＥＴ２０のスイッチング動作を制御するＩＣ２１、整流に用いるダイオードＤ１、アルミ電解コンデンサＣ２、電圧２４Ｖから電圧５Ｖを生成するスイッチングレギュレータ２４（ＤＣ／ＤＣ）により構成されている。
【００１１】
交流直流変換部１６は、外部電源１２からの交流電圧がノイズフイルター１７を通過してノイズ成分が除去され、ダイオードブリッジＤＢ１により全波整流され、アルミ電解コンデンサＣ１において平滑され、整流平滑された電圧がトランスＴ１の１次巻線の一端に印加される。
トランスＴ１の１次巻線の他端にＦＥＴ２０のドレイン端子が接続され、ＦＥＴ２０のソース端子がアルミ電解コンデンサＣ１のマイナス端子に接続される。トランスＴ１の３次巻線の一端にＩＣ２１の入力端子が接続され、ＩＣ２１がＯＮ／ＯＯＦ制御信号を生成してＦＥＴ２０のゲート端子に供給され、ＦＥＴ２０がスイッチング動作を開始すると、トランスＴ１の２次巻線に電気エネルギが誘起して高周波電圧が発生する。ダイオードＤ１とアルミ電解コンデンサＣ２では、高周波電圧を整流平滑して２４Ｖの直流電圧を生成する。さらに、アルミ電解コンデンサＣ２に接続されたスイッチングレギュレータ２４が、２４Ｖの直流電圧から５Ｖの直流電圧を生成している。
【００１２】
ハロゲンヒータ２５には、リレー３５、トライアック２６が直列接続され、ＣＰＵ１５からＯＮ制御信号がリレー３５に入力されると、リレー３５がＯＮ動作して外部電源１２がハロゲンヒータ２５へ供給される。さらに、ＣＰＵ１５から制御信号２７がトライアック２６に入力され、外部電源１２からトライアック２６を介してハロゲンヒータ２５に交流電力が供給される。
電圧検出部２８は、トランスＴ２、ダイオードブリッジＤＢ２、コンデンサＣ３により構成される。外部電源１２からの交流電圧をトランスＴ２において、交流電圧５Ｖ程度まで低減し、ダイオードブリッジＤＢ２、コンデンサＣ３において整流して直流電圧に変換し、ＣＰＵ１５に設けられたＡ／Ｄポートに入力する。交流電圧の大きさにより前述のＡ／Ｄポートへの入力電圧が変わるので、外部電源１２の交流電圧を検出することができる。
補助電源３４は、バッテリを備え、外部電源１２から供給される交流電力から変換された直流電力をバッテリに充電する。補助電源３４は、ＤＣ／ＤＣコンバータを備え、バッテリから直流電力を放電可能であり、バッテリからの直流電力をＤＣ／ＤＣコンバータにより２４Ｖ系の電源、５Ｖ系の電源として出力する。
【００１３】
制御基板１４のＲＯＭ３３には、外部電源１２から定格電圧範囲外の電圧が入力された際に、電圧検出部２８によって検出された入力電圧値Ｖｉｎに対応して、低電圧電源１３が出力可能な最大電流値Ｉｍａｘを関連付けた最大電流値パターンテーブル３３ｂを保持している。
また、制御基板１４に設けられたＲＯＭ３３には、補助電源３４から出力される直流電力を画像形成装置１の各負荷にそれぞれ独立して供給する際の制御動作を表すプログラム３３ａが記憶されている。さらに、制御基板１４に設けられたＲＯＭ３３には、補助電源３４から上記各負荷に電力を供給する際の電力供給パターンテーブル３３ｃが記憶されている。
ＣＰＵ１５は、外部電源１２から定格電圧範囲外の低電圧が入力された際に、低電圧電源１３が出力可能な最大電流値Ｉｍａｘと、画像形成装置１が必要な必要電流値Ｉｈを比較し、補助電源３４（蓄電手段）から負荷１１に備えたＦＡＮ（ファンモータ）３９、ＳＣＡＮ（スキャナーモータ）３６、２４Ｖ系負荷３７、５Ｖ系負荷３８へ電力供給が必要かどうか判断する。
この際、ＣＰＵ１５は、補助電源３４からの電力供給が必要である判断した場合、補助電源３４からの直流電力に切り替えるために、ＳＷ切替制御信号３２をスイッチＳＷ１、ＳＷ２、ＳＷ３、ＳＷ４へ出力する。
【００１４】
＜機能ブロック図＞
図３は、本発明の一実施形態に係る電源装置の機能を示すブロック図である。
交流直流変換部１６は、外部電源１２から供給される交流電力を直流電力に変換する。
補助電源３４（蓄電手段）は、外部電源１２から供給される交流電力から変換された直流電力を充電するとともに、直流電力を放電可能である。
電圧検出部２８は、外部電源１２から供給される入力電圧値Ｖｉｎを検出する。
スイッチ部４１は、交流直流変換部１６及び補助電源３４の一方に接続され、他方を対象機器の各負荷に接続される複数のスイッチＳＷ１〜ＳＷ４を有する。
温度検出部１ｂは、画像形成装置１に設けられ、負荷の雰囲気温度を検出する。
【００１５】
ＣＰＵ１５は、ＲＯＭ３３からオペレーティングシステムＯＳを読み出してＲＡＭ１５ａ上に展開してＯＳを起動し、ＯＳ管理下において、ＲＯＭ３３からアプリケーションソフトウエアのプログラム（処理モジュール）を読み出し、各種処理を実行することで、図３に示す制御部４０を実現する。
制御部４０は、電圧検出部２８により検出された入力電圧値Ｖｉｎに基づいて、対象機器が備える複数の負荷の中から補助電源３４（蓄電手段）からの電力を供給する負荷を選択する。
制御部４０は、負荷選択部４０ｂにより選択された負荷に対してのみ、補助電源３４からの電力を供給するように、スイッチ駆動部４２を駆動してスイッチ部４１を切り替える。
最大電流値算出部４０ａは、電圧検出部２８により検出された入力電圧値Ｖｉｎに基づいて、交流直流変換部１６が出力可能な最大電流値Ｉｍａｘを算出する。
負荷選択部４０ｂは、最大電流値算出部４０ａにより算出された最大電流値Ｉｍａｘと、対象機器の現在の動作モードに必要とされる必要電流値Ｉｈとを比較して、補助電源３４からの電力を供給する負荷を選択する。
【００１６】
演算部４０ｃは、動作モードに基づいて、動作モードにおいて必要な必要電流値Ｉｈを演算する。
演算部４０ｃは、温度検出部１ｂにより検出された雰囲気温度が所定の温度以下である場合に、必要電流値Ｉｈを増やすように補正する。
演算部４０ｃは、負荷の利用時間が所定の時間を経過した場合に、必要電流値Ｉｈを増やすように補正する。
演算部４０ｃは、負荷の利用時間が所定の時間を経過した場合に、最大電流値Ｉｍａｘを減らすように補正する。
モード判定部４０ｄは、対象機器から取得した情報に基づいて、対象機器の動作モードを判定する。
【００１７】
＜外部電源１２の入力電圧値と低電圧電源１３が出力可能な最大電流値＞
図４は、外部電源１２の入力電圧値と低電圧電源１３が出力可能な最大電流値の関係を示した図である。
外部電源１２からの入力電圧値Ｖｉｎが１８７Ｖである場合に、低電圧電源１３が出力可能な最大電流値Ｉｍａｘは、５．０Ａである。
外部電源１２からの入力電圧値Ｖｉｎが１７０Ｖである場合に、低電圧電源１３が出力可能な最大電流値Ｉｍａｘは、４．８Ａである。
外部電源１２からの入力電圧値Ｖｉｎが１５０Ｖである場合に、低電圧電源１３が出力可能な最大電流値Ｉｍａｘは、４．５Ａである。
外部電源１２からの入力電圧値Ｖｉｎが１００Ｖである場合に、低電圧電源１３が出力可能な最大電流値Ｉｍａｘは、２．０Ａである。
外部電源１２からの入力電圧値Ｖｉｎが５０Ｖである場合に、低電圧電源１３が出力可能な最大電流値Ｉｍａｘは、１．０Ａである。
本実施形態では、外部電源１２の入力電圧値Ｖｉｎと、低電圧電源１３が出力可能な最大電流値Ｉｍａｘとを関連付けて、例えば表１に示すような最大電流値パターンテーブル３３ｂがＲＯＭ３３記憶されている。
【００１８】
【表１】
2019090882.tif 000003
【００１９】
＜入力電圧値Ｖｉｎと１次側入力電流Ｉｎの関係＞
図４に示すように、外部電源１２からの入力電圧値Ｖｉｎが低くなるに従って、低電圧電源１３が出力可能な最大電流値Ｉｍａｘが小さくなることの要因の１つは、機器の電源装置１０に搭載されている部品の温度があげられる。
電源装置１０の１次側入力電流Ｉｎは、以下の式で求めることができる。
１次側入力電流Ｉｎ＝２次側電力／効率／入力電圧値Ｖｉｎ／力率      式（１）
上記の式（１）より、入力電圧値Ｖｉｎが低くなると、１次側入力電流Ｉｎが大きくなる。
そのため、入力電圧値Ｖｉｎが低くなると、機器の電源装置１０の１次側に搭載されている部品の温度が高くなる。従って、入力電圧値Ｖｉｎが低くなるとともに、低電圧電源１３が出力可能な最大電流値Ｉｍａｘは小さくなる。
【００２０】
他の要因としては、入力電圧値Ｖｉｎが低くなると、アルミ電解コンデンサＣ１に充電される電荷の容量が小さくなることがあげられる。そのため、スイッチングに用いるＦＥＴ２０やＩＣ２１などの１次側回路において消費することできる電荷の容量が小さくなり、２次側回路で消費することができる最大電流値Ｉｍａｘ（低電圧電源１３が出力可能な最大電流値Ｉｍａｘ）の値も小さくなる。
【００２１】
＜従来の補助電源の消費電力の大きさ＞
図５は、従来の補助電源における低入力電圧時の消費電力の大きさを示した図である。
従来の補助電源では、低入力電圧時（入力電圧値Ｖｉｎ＝１５０Ｖ、１００Ｖ）に機器の電源装置から供給できる電力量を考慮せず、補助電源から電力を供給していたため、補助電源からの消費電力が大きくなっている。
例えば、図５に示すように、動作モードがウォームアップ状態や印刷中状態では、待機中モードや省エネモードよりも、補助電源３４からの消費電力が大きくなっている。
【００２２】
＜本実施形態の消費電力の大きさ＞
図６は、本発明の一実施形態に係る画像形成装置１における低入力電圧時（入力電圧値Ｖｉｎ＝１５０Ｖ）の消費電力の大きさを示した図である。
図６では、上述した補助電源３４（蓄電手段）と低電圧電源１３の消費電力を示している。
制御部４０では、入力電圧値Ｖｉｎの値から低電圧電源１３が供給できる電流値Ｉを算出し、低電圧電源１３が電力を供給できない一部の負荷にのみ、補助電源３４から電力を供給しているため、補助電源３４からの消費電力が小さくなっている。
例えば、図６に示すように、動作モードがウォームアップ状態や印刷中状態では、補助電源３４（蓄電手段）からの消費電力が小さくなっている。
【００２３】
＜本実施形態の消費電力の大きさ＞
図７は、本発明の一実施形態に係る画像形成装置１における低入力電圧時（入力電圧値Ｖｉｎ＝１００Ｖ）の消費電力の大きさを示した図である。
制御部４０では、入力電圧値Ｖｉｎの値から低電圧電源１３が供給できる電流値Ｉを算出し、低電圧電源１３が電力を供給できない一部の負荷にのみ、補助電源３４（蓄電手段）から電力を供給しているため、補助電源３４からの消費電力が小さくなっている。
例えば、図７に示すように、動作モードがウォームアップ状態や待機中モードや印刷中モードでは、図６に示す状態よりもさらに、補助電源３４からの消費電力が小さくなっている。
【００２４】
＜電源装置の動作＞
図８（ａ）は、本発明の一実施形態に係る電源装置１０の動作を示すメインルーチンのフローチャートであり、図８（ｂ）は、本発明の一実施形態に係る電源装置１０の動作を示すサブルーチンのフローチャートである。
図８（ａ）では、外部電源１２からの入力電圧値Ｖｉｎに応じて、補助電源３４（蓄電手段）から電力供給する負荷を選択することを特徴とする。
ステップＳ５では、制御部４０は、電圧検出部２８に外部電源１２からの入力電圧値Ｖｉｎを検知させ、入力電圧値Ｖｉｎを取得する。
ステップＳ１０では、制御部４０は、外部電源１２からの入力電圧値Ｖｉｎに基づいて、低電圧電源１３から出力可能な最大電流値Ｉｍａｘを算出する。
ステップＳ１３では、制御部４０は、対象機器のコントローラ１ａから取得した情報に基づいて、対象機器の動作モードを判定する。
ステップＳ１５では、制御部４０は、機器の動作モードに基づいて、機器が必要な必要電流値Ｉｈを算出する。
ステップＳ２０では、制御部４０は、負荷選択処理の動作を示すサブルーチンをコールする。
さらに、制御部４０は、サブルーチンからメインルーチンに復帰した後に終了する。
【００２５】
次に、図８（ｂ）を参照して、負荷選択処理の動作を示すサブルーチンについて説明する。
ステップＳ５０では、制御部４０は、低電圧電源１３が出力可能な最大電流値Ｉｍａｘが、機器が必要な必要電流値Ｉｈ以上か否かを判断する。ここで、低電圧電源１３から出力可能な最大電流値Ｉｍａｘが、機器が必要な必要電流値Ｉｈ以上である場合にはステップＳ５５に進む。一方、低電圧電源１３が出力可能な最大電流値Ｉｍａｘが、機器が必要な必要電流値Ｉｈ未満である場合にはステップＳ６０に進む。
低電圧電源１３が出力可能な最大電流値Ｉｍａｘが、機器が必要な必要電流値Ｉｈ以上である場合に、ステップＳ５５では、制御部４０は、補助電源３４（蓄電手段）からの電力供給は不要のため、補助電源３４からの電力供給を停止する。その後、メインルーチンに復帰する。
一方、低電圧電源１３が出力可能な最大電流値Ｉｍａｘが、機器が必要な必要電流値Ｉｈ未満である場合に、ステップＳ６０では、制御部４０は、補助電源３４から電力供給する負荷を選択する。
ステップＳ６５では、制御部４０は、補助電源３４から電力供給を開始する。その後、メインルーチンに復帰する。
【００２６】
このように、外部電源１２から供給される入力電圧値Ｖｉｎに基づいて、交流直流変換部１６が出力可能な最大電流値Ｉｍａｘを算出し、最大電流値Ｉｍａｘと、対象機器の現在の動作モードに必要とされる必要電流値Ｉｈとを比較して、補助電源３４からの電力を供給する負荷を選択することで、外部電源１２の電圧が機器の入力電圧仕様範囲外まで低下した場合でも、補助電源３４から機器に供給される消費電力を小さくすることができる。
また、スイッチ部４１を切り替えることで、選択された負荷に対してのみ、補助電源３４からの電力を供給することができる。
さらに、対象機器の動作モードを判定することで、現在の動作モードに応じて、補助電源３４からの電力を供給する負荷を選択することで、補助電源３４から機器に供給される消費電力を小さくすることができる。
また、動作モードにおいて必要な必要電流値Ｉｈを演算することで、補助電源３４からの電力を供給する負荷を選択する際の選択精度を向上することができる。
【００２７】
＜印刷中モード時の動作概要＞
図９は、印刷中モード時に必要な必要電流値Ｉｈと、外部電源１２の入力電圧値Ｖｉｎに応じて補助電源（蓄電手段）から電力供給する負荷との関係を示した図である。
外部電源１２からの入力電圧値Ｖｉｎが１８７Ｖ〜１７０Ｖである場合に、低電圧電源１３が出力可能な最大電流値Ｉｍａｘは、必要電流値Ｉｈとして５．０Ａ〜４．８Ａであり、この場合、印刷時に必要な必要電流値Ｉｈが必要電流値Ｉｈとして４．８Ａ以上あるので、補助電源３４からの電力供給はなく、低電圧電源１３からのみ電力を供給する。
外部電源１２からの入力電圧値Ｖｉｎが１７０Ｖ〜１５０Ｖである場合に、低電圧電源１３が出力可能な最大電流値Ｉｍａｘは、必要電流値Ｉｈとして４．８Ａ〜４．５Ａであり、この場合、ＦＡＮ３９のみ補助電源３４から電力供給し、他の負荷へ低電圧電源１３から電力を供給する。
外部電源１２からの入力電圧値Ｖｉｎが１５０Ｖ〜１００Ｖである場合に、低電圧電源１３が出力可能な最大電流値Ｉｍａｘは、必要電流値Ｉｈとして４．５Ａ〜２．０Ａであり、この場合、ＦＡＮ３９及びＳＣＡＮ３６に補助電源３４から電力供給し、他の負荷へ低電圧電源１３から電力を供給する。
【００２８】
外部電源１２からの入力電圧値Ｖｉｎが１００Ｖ〜５０Ｖである場合に、低電圧電源１３が出力可能な最大電流値Ｉｍａｘは、必要電流値Ｉｈとして２．０Ａ〜１．０Ａであり、この場合、２４Ｖ系負荷（モジュールＭｄ）に補助電源３４から電力供給し、５Ｖ系の負荷へ低電圧電源１３から電力を供給する。
外部電源１２からの入力電圧値Ｖｉｎが１００Ｖ〜５０Ｖである場合に、低電圧電源１３が出力可能な最大電流値Ｉｍａｘは、必要電流値Ｉｈとして２．０Ａ〜１．０Ａであり、この場合、２４Ｖ系負荷に補助電源３４から電力供給し、５Ｖ系の負荷へ低電圧電源１３から電力を供給する。
外部電源１２からの入力電圧値Ｖｉｎが５０Ｖ以下である場合に、低電圧電源１３が出力可能な最大電流値Ｉｍａｘは、必要電流値Ｉｈとして１．０Ａ以下であり、この場合、全ての負荷に補助電源３４から電力供給する。
【００２９】
＜印刷中モードに対応した動作フロー＞
図１０（ａ）は、本発明の一実施形態に係る電源装置１０の動作を示すメインルーチンのフローチャートであり、図１０（ｂ）は、本発明の一実施形態に係る電源装置１０の動作（印刷中モード）を示すサブルーチンのフローチャートである。
図１０（ａ）は、機器が印刷中モードであるときに、外部電源１２からの入力電圧値Ｖｉｎに応じて、補助電源３４（蓄電手段）から電力供給する負荷を選択するフローチャートである。
ステップＳ１０５では、制御部４０は、電圧検出部２８に外部電源１２からの入力電圧値Ｖｉｎを検知させ、入力電圧値Ｖｉｎを取得する。
ステップＳ１１０では、制御部４０は、外部電源１２からの入力電圧値Ｖｉｎに基づいて、最大電流値パターンテーブル３３ｂを参照して、低電圧電源１３から出力可能な最大電流値Ｉｍａｘを算出する。
ステップＳ１１３では、制御部４０は、対象機器のコントローラ１ａから取得した情報に基づいて、対象機器の現在の動作モードを判定する。
ステップＳ１１５では、制御部４０は、負荷選択処理の動作を示すサブルーチンをコールする。
さらに、制御部４０は、サブルーチンからメインルーチンに復帰した後に終了する。
【００３０】
次に、図１０（ｂ）を参照して、動作モードが印刷中モードである場合の負荷選択処理の動作を示すサブルーチンについて説明する。
ステップＳ１５０では、低電圧電源１３が出力可能な最大電流値Ｉｍａｘが、必要電流値Ｉｈとして４．８Ａ以上か否かを判断する。
低電圧電源１３が出力可能な最大電流値Ｉｍａｘが、必要電流値Ｉｈとして４．８Ａ以上である場合（Ｓ１５０、Ｙｅｓ）には、ステップＳ１５５に進み、補助電源３４（蓄電手段）からの電力供給は不要のため、補助電源３４からの電力供給を停止する。
一方、低電圧電源１３が出力可能な最大電流値Ｉｍａｘが、必要電流値Ｉｈとして４．８Ａ未満である場合（Ｓ１５０、Ｎｏ）には、ステップＳ１６０に進み、低電圧電源１３が出力可能な最大電流値Ｉｍａｘが、必要電流値Ｉｈとして４．５Ａ以上か否かを判断する。
低電圧電源１３が出力可能な最大電流値Ｉｍａｘが、必要電流値Ｉｈとして４．５Ａ以上である場合（Ｓ１６０、Ｙｅｓ）には、ステップＳ１６５に進み、ＦＡＮ３９のみ補助電源３４から電力供給を開始する。
一方、低電圧電源１３が出力可能な最大電流値Ｉｍａｘが、必要電流値Ｉｈとして４．５Ａ未満である場合（Ｓ１６０、Ｎｏ）には、ステップＳ１７０に進み、低電圧電源１３が出力可能な最大電流値Ｉｍａｘが、必要電流値Ｉｈとして２．０Ａ以上か否かを判断する。
【００３１】
低電圧電源１３が出力可能な最大電流値Ｉｍａｘが、必要電流値Ｉｈとして２．０Ａ以上である場合（Ｓ１７０、Ｙｅｓ）には、ステップＳ１７５に進み、ＦＡＮ３９、ＳＣＡＮ３６に補助電源３４から電力供給を開始する。
一方、低電圧電源１３が出力可能な最大電流値Ｉｍａｘが、必要電流値Ｉｈとして２．０Ａ未満である場合（Ｓ１７０、Ｎｏ）には、ステップＳ１８０に進み、低電圧電源１３が出力可能な最大電流値Ｉｍａｘが、必要電流値Ｉｈとして１．０Ａ以上か否かを判断する。
低電圧電源１３が出力可能な最大電流値Ｉｍａｘが、必要電流値Ｉｈとして１．０Ａ以上である場合（Ｓ１８０、Ｙｅｓ）には、ステップＳ１８５に進み、２４Ｖ系の負荷に補助電源３４から電力供給を開始する。なお、５Ｖ系の負荷には低電圧電源１３から供給する。
一方、低電圧電源１３が出力可能な最大電流値Ｉｍａｘが、必要電流値Ｉｈとして１．０Ａ未満である場合（Ｓ１９０、Ｎｏ）には、ステップＳ１９０に進み、全ての負荷に補助電源３４から電力供給を開始する。
【００３２】
このように、外部電源１２から供給される入力電圧値Ｖｉｎに基づいて、交流直流変換部１６が出力可能な最大電流値Ｉｍａｘを算出し、最大電流値Ｉｍａｘと、対象機器の現在の印刷中モードに必要とされる必要電流値Ｉｈとを比較して、補助電源３４からの電力を供給する負荷を選択することで、外部電源１２の電圧が機器の入力電圧仕様範囲外まで低下した場合でも、補助電源３４から機器に供給される消費電力を小さくすることができる。
【００３３】
＜待機中モードでの動作概要＞
図１１は、待機中モードに必要な必要電流値Ｉｈと、外部電源１２の入力電圧値Ｖｉｎに応じて補助電源（蓄電手段）から電力供給する負荷との関係を示した図である。
外部電源１２からの入力電圧値Ｖｉｎが１８７Ｖ〜１００Ｖである場合に、低電圧電源１３が出力可能な最大電流値Ｉｍａｘは、必要電流値Ｉｈとして５．０Ａ〜２．０Ａであり、この場合、待機中モードに必要な必要電流値Ｉｈが２．０Ａ以上あるので、補助電源３４からの電力供給はなく、低電圧電源１３からのみ電力を供給する。
外部電源１２からの入力電圧値Ｖｉｎが１００Ｖ〜８０Ｖである場合に、低電圧電源１３が出力可能な最大電流値Ｉｍａｘは、必要電流値Ｉｈとして２．０Ａ〜１．７Ａであり、この場合、ＦＡＮ３９のみ補助電源３４から電力供給し、他の負荷へ低電圧電源１３から電力を供給する。
外部電源１２からの入力電圧値Ｖｉｎが８０Ｖ〜５０Ｖである場合に、低電圧電源１３が出力可能な最大電流値Ｉｍａｘは、必要電流値Ｉｈとして１．７Ａ〜１．０Ａであり、この場合、２４Ｖ系負荷に補助電源３４から電力供給し、５Ｖ系の負荷へ低電圧電源１３から電力を供給する。
外部電源１２からの入力電圧値Ｖｉｎが５０Ｖ以下である場合に、低電圧電源１３が出力可能な最大電流値Ｉｍａｘは、必要電流値Ｉｈとして１．０Ａ以下であり、この場合、全ての負荷に補助電源３４から電力供給する。
【００３４】
＜待機中モードに対応した動作フロー＞
図１２（ａ）は、本発明の一実施形態に係る電源装置１０の動作を示すメインルーチンのフローチャートであり、図１２（ｂ）は、本発明の一実施形態に係る電源装置１０の動作（待機中モード）を示すサブルーチンのフローチャートである。
図１２（ａ）は、機器が待機中モードであるとき、外部電源１２からの入力電圧値Ｖｉｎに応じて、補助電源３４（蓄電手段）から電力供給する負荷を選択するフローチャートである。
ステップＳ２０５では、制御部４０は、電圧検出部２８に外部電源１２からの入力電圧値Ｖｉｎを検知させ、入力電圧値Ｖｉｎを取得する。
ステップＳ２１０では、制御部４０は、外部電源１２からの入力電圧値Ｖｉｎに基づいて、最大電流値パターンテーブル３３ｂを参照して、低電圧電源１３から出力可能な最大電流値Ｉｍａｘを算出する。
ステップＳ２１３では、制御部４０は、対象機器のコントローラ１ａから取得した情報に基づいて、対象機器の動作モードを判定する。
ステップＳ２１５では、制御部４０は、負荷選択処理の動作を示すサブルーチンをコールする。
さらに、制御部４０は、サブルーチンからメインルーチンに復帰した後に終了する。
【００３５】
次に、図１２（ｂ）を参照して、動作モードが待機中モードである場合の負荷選択処理の動作を示すサブルーチンについて説明する。
ステップＳ２５０では、低電圧電源１３が出力可能な最大電流値Ｉｍａｘが、必要電流値Ｉｈとして２．０Ａ以上か否かを判断する。
低電圧電源１３が出力可能な最大電流値Ｉｍａｘが、必要電流値Ｉｈとして２．０Ａ以上である場合（Ｓ２５０、Ｙｅｓ）には、ステップＳ２５５に進み、補助電源３４（蓄電手段）からの電力供給は不要のため、補助電源３４からの電力供給を停止する。
一方、低電圧電源１３が出力可能な最大電流値Ｉｍａｘが、必要電流値Ｉｈとして２．０Ａ未満である場合（Ｓ２５０、Ｎｏ）には、ステップＳ２６０に進み、低電圧電源１３が出力可能な最大電流値Ｉｍａｘが、必要電流値Ｉｈとして１．７Ａ以上か否を判断する。
【００３６】
低電圧電源１３が出力可能な最大電流値Ｉｍａｘが、必要電流値Ｉｈとして１．７Ａ以上である場合（Ｓ２６０、Ｙｅｓ）には、ステップＳ２６５に進み、ＦＡＮ３９のみ補助電源３４から電力供給を開始する。
一方、低電圧電源１３が出力可能な最大電流値Ｉｍａｘが、必要電流値Ｉｈとして１．７Ａ未満である場合（Ｓ２６０、Ｎｏ）には、ステップＳ２７０では、低電圧電源１３が出力可能な最大電流値Ｉｍａｘが、必要電流値Ｉｈとして１．０Ａ以上か否かを判断する。
低電圧電源１３が出力可能な最大電流値Ｉｍａｘが、必要電流値Ｉｈとして１．０Ａ以上である場合（Ｓ２７０、Ｙｅｓ）には、ステップＳ２７５に進み、２４Ｖ系の負荷に補助電源３４から電力供給を開始する。なお、５Ｖ系の負荷には低電圧電源１３から電力を供給する。
一方、低電圧電源１３が出力可能な最大電流値Ｉｍａｘが、必要電流値Ｉｈとして１．０Ａ未満である場合（Ｓ２７０、Ｎｏ）には、ステップＳ２８０に進み、全ての負荷に補助電源３４から電力供給を開始する。
【００３７】
このように、外部電源１２から供給される入力電圧値Ｖｉｎに基づいて、交流直流変換部１６が出力可能な最大電流値Ｉｍａｘを算出し、最大電流値Ｉｍａｘと、対象機器の現在の待機中モードに必要とされる必要電流値Ｉｈとを比較して、補助電源３４からの電力を供給する負荷を選択することで、外部電源１２の電圧が機器の入力電圧仕様範囲外まで低下した場合でも、補助電源３４から機器に供給される消費電力を小さくすることができる。
【００３８】
＜温度に応じた必要電流値補正処理＞
図１３は、雰囲気温度に応じて、機器が必要な必要電流値Ｉｈを補正する温度に応じた必要電流値補正処理を示すフローチャートである。
一般に、低温時には、モータのトルクが重くなり、必要な負荷電流が大きくなるという事情があった。そこで、機器の筐体内に温度検出部１ｂを設け、当該温度検出部１ｂからのセンサ信号をＣＰＵ１５のＡ／Ｄポートに入力しておき、以下の処理を行う。
ステップＳ３０５では、演算部４０ｃは、温度検出部１ｂから取得した雰囲気温度ＴがＴ１℃より低いか否かを判断する。
雰囲気温度ＴがＴ１℃より低い場合（Ｓ３０５、Ｙｅｓ）には、ステップＳ３１０に進み、演算部４０ｃは、機器が必要な必要電流値Ｉｈ（図１２に示すＳ２５０、Ｓ２６０、Ｓ２７０の閾値である必要電流値Ｉｈ）を増やすように補正した後、処理を終了する。
【００３９】
このように、雰囲気温度Ｔが所定の温度Ｔ１℃以下である場合に、必要電流値Ｉｈを増やすように補正することで、補助電源３４からの電力を供給する負荷を選択する際の選択精度を向上することができる。
【００４０】
＜印刷枚数に応じた必要電流値補正処理＞
図１４は、印刷枚数に応じて、機器が必要な必要電流値Ｉｈを補正する印刷枚数に応じた必要電流値補正処理を示すフローチャートである。
一般に、モータが経時劣化すると、必要な負荷電流が大きくなるという事情があった。そこで、機器のコントローラ１ａがホストＰＣから受け付けた印刷ジョブに含まれる印刷枚数をＣＰＵ１５に取得しておき、以下の処理を行う。
ステップＳ４０５では、演算部４０ｃは、印刷枚数がＡ枚より多いか否かを判断する。
印刷枚数がＡ枚より多い場合（Ｓ４０５、Ｙｅｓ）には、ステップＳ４１０に進み、演算部４０ｃは、機器が必要な必要電流値（図１２に示すＳ２５０、Ｓ２６０、Ｓ２７０の閾値である必要電流値Ｉｈ）を増やすように補正した後、処理を終了する。
【００４１】
このように、負荷の利用時間を表す印刷枚数が所定の時間を表す印刷枚数Ａ枚を経過した場合に、必要電流値Ｉｈを増やすように補正することで、補助電源３４からの電力を供給する負荷を選択する際の選択精度を向上することができる。
【００４２】
＜印刷枚数に応じた最大電流値補正処理＞
図１５は、印刷枚数に応じて、低電圧電源１３が出力可能な最大電流値Ｉｍａｘを補正する印刷枚数に応じた最大電流値補正処理を示すフローチャートである。
一般に、低電圧電源１３に搭載されている１次側のアルミ電解コンデンサＣ１は、経時劣化すると、静電容量が減少し、低電圧電源１３が出力可能な最大電流値Ｉｍａｘが減少するという事情があった。そこで、機器のコントローラ１ａがホストＰＣから受け付けた印刷ジョブに含まれる印刷枚数をＣＰＵ１５に取得しておき、以下の処理を行う。
ステップＳ５０５では、演算部４０ｃは、印刷枚数がＢ枚より多いか否かを判断する。
印刷枚数がＢ枚より多い場合（Ｓ５０５、Ｙｅｓ）には、ステップＳ５１０に進み、演算部４０ｃは、低電圧電源１３が出力可能な最大電流値Ｉｍａｘ（図８（ａ）に示すＳ１０の最大電流値Ｉｍａｘ）を減らすように補正した後、処理を終了する。
【００４３】
このように、負荷の利用時間を表す印刷枚数が所定の時間を表す印刷枚数Ｂ枚を経過した場合に、最大電流値Ｉｍａｘを減らすように補正することで、補助電源３４からの電力を供給する負荷を選択する際の選択精度を向上することができる。
【００４４】
＜本実施形態の態様例の作用、効果のまとめ＞
＜第１態様＞
本態様の電源装置１０は、外部電源１２から供給される交流電力を直流電力に変換する交流直流変換部１６と、外部電源１２から供給される交流電力から変換された直流電力を充電するとともに、直流電力を放電可能な補助電源３４（蓄電手段）と、外部電源１２から供給される入力電圧値Ｖｉｎを検出する電圧検出部２８と、電圧検出部２８により検出された入力電圧値Ｖｉｎに基づいて、対象機器が備える複数の負荷の中から補助電源３４（蓄電手段）からの電力を供給する負荷を選択する制御部４０と、を備えた電源装置１０であって、電圧検出部２８により検出された入力電圧値Ｖｉｎに基づいて、交流直流変換部１６が出力可能な最大電流値Ｉｍａｘを算出する最大電流値算出部４０ａと、最大電流値算出部４０ａにより算出された最大電流値Ｉｍａｘと、対象機器の現在の動作モードに必要とされる必要電流値Ｉｈとを比較して、補助電源３４（蓄電手段）からの電力を供給する負荷を選択する負荷選択部４０ｂと、を備えることを特徴とする。
本態様によれば、外部電源１２から供給される入力電圧値Ｖｉｎに基づいて、交流直流変換部１６が出力可能な最大電流値Ｉｍａｘを算出し、最大電流値Ｉｍａｘと、対象機器の現在の動作モードに必要とされる必要電流値Ｉｈとを比較して、補助電源３４からの電力を供給する負荷を選択することで、外部電源１２の電圧が機器の入力電圧仕様範囲外まで低下した場合でも、補助電源３４から機器に供給される消費電力を小さくすることができる。
【００４５】
＜第２態様＞
本態様の電源装置１０は、交流直流変換部１６及び補助電源３４（蓄電手段）の一方に接続され、他方を対象機器の各負荷に接続される複数のスイッチ部４１を備え、
制御部４０は、負荷選択部４０ｂにより選択された負荷に対してのみ、補助電源３４（蓄電手段）からの電力を供給するようにスイッチ部４１を切り替えることを特徴とする。
本態様によれば、スイッチ部４１を切り替えることで、選択された負荷に対してのみ、補助電源３４からの電力を供給することができる。
【００４６】
＜第３態様＞
本態様の電源装置１０は、動作モードに基づいて、動作モードにおいて必要な必要電流値Ｉｈを演算する演算部４０ｃを備えたことを特徴とする。
本態様によれば、動作モードにおいて必要な必要電流値Ｉｈを演算することで、補助電源３４からの電力を供給する負荷を選択する際の選択精度を向上することができる。
【００４７】
＜第４態様＞
本態様の電源装置１０は、対象機器から取得した情報に基づいて、対象機器の動作モードを判定するモード判定部４０ｄを備えたことを特徴とする。
本態様によれば、対象機器の動作モードを判定することで、現在の動作モードに応じて、補助電源３４からの電力を供給する負荷を選択することで、補助電源３４から機器に供給される消費電力を小さくすることができる。
【００４８】
＜第５態様＞
本態様の電源装置１０は、負荷の雰囲気温度を検出する温度検出部１ｂを備え、演算部４０ｃは、温度検出部１ｂにより検出された雰囲気温度が所定の温度以下である場合に、必要電流値Ｉｈを増やすように補正することを特徴とする。
本態様によれば、雰囲気温度が所定の温度以下である場合に、必要電流値Ｉｈを増やすように補正することで、補助電源３４からの電力を供給する負荷を選択する際の選択精度を向上することができる。
【００４９】
＜第６態様＞
本態様の演算部４０ｃは、負荷の利用時間が所定の時間を経過した場合に、必要電流値Ｉｈを増やすように補正することを特徴とする。
本態様によれば、負荷の利用時間が所定の時間を経過した場合に、必要電流値Ｉｈを増やすように補正することで、補助電源３４からの電力を供給する負荷を選択する際の選択精度を向上することができる。
【００５０】
＜第７態様＞
本態様の演算部４０ｃは、負荷の利用時間が所定の時間を経過した場合に、最大電流値Ｉｍａｘを減らすように補正することを特徴とする。
本態様によれば、負荷の利用時間が所定の時間を経過した場合に、最大電流値Ｉｍａｘを減らすように補正することで、補助電源３４からの電力を供給する負荷を選択する際の選択精度を向上することができる。
【００５１】
＜第８態様＞
本態様の画像形成装置は、請求項１乃至７の何れか一項に記載の電源装置１０と、電源装置１０から供給される電力を消費する複数の負荷と、を備えたことを特徴とする。
本態様によれば、画像形成装置において、外部電源１２から供給される入力電圧値Ｖｉｎに基づいて、交流直流変換部１６が出力可能な最大電流値Ｉｍａｘを算出し、最大電流値Ｉｍａｘと、対象機器の現在の動作モードに必要とされる必要電流値Ｉｈとを比較して、補助電源３４からの電力を供給する負荷を選択することで、補助電源３４から機器に供給される消費電力を小さくすることができる。
【００５２】
＜第９態様＞
本態様の電源制御方法は、外部電源１２から供給される交流電力を直流電力に変換する交流直流変換部１６と、外部電源１２から供給される交流電力から変換された直流電力を充電するとともに、電力を放電可能な補助電源３４（蓄電手段）と、外部電源１２から供給される電圧を検出する電圧検出部２８と、電圧検出部２８により検出された入力電圧値Ｖｉｎに基づいて、対象機器が備える複数の負荷の中から補助電源３４（蓄電手段）からの電力を供給する負荷を選択する制御部４０と、を備えた電源装置１０による電源制御方法であって、電圧検出部２８により検出された入力電圧値Ｖｉｎに基づいて、交流直流変換部１６が出力可能な最大電流値Ｉｍａｘを算出する最大電流値算出ステップと、最大電流値算出部４０ａにより算出された前記最大電流値Ｉｍａｘと、前記対象機器の現在の動作モードに必要とされる必要電流値Ｉｈとを比較して、補助電源３４（蓄電手段）からの電力を供給する負荷を選択する負荷選択ステップと、を実行することを特徴とする。
第９態様の作用、及び効果は第１態様と同様であるので、その説明を省略する。
【００５３】
＜第１０態様＞
本態様のプログラムは、請求項９記載の電源制御方法における各ステップをプロセッサに実行させることを特徴とする。
本態様によれば、各ステップをプロセッサに実行させることができる。
【符号の説明】
【００５４】
１…画像形成装置、１ａ…コントローラ、１ｂ…温度検出部、１０…電源装置、１１…負荷、１２…外部電源、１３…低電圧電源、１４…制御基板、１５…ＣＰＵ、１５ａ…ＲＡＭ、１６…交流直流変換部、１７…ノイズフイルター、２４…スイッチングレギュレータ、２５…ハロゲンヒータ、２６…トライアック、２７…制御信号、２８…電圧検出部、３３…ＲＯＭ、３３ａ…プログラム、３３ｂ…最大電流値パターンテーブル、３３ｃ…電力供給パターンテーブル、３４…補助電源、３５…リレー、３７…Ｖ系負荷、３８…Ｖ系負荷、３９…ＦＡＮ、４０…制御部、４０ａ…最大電流値算出部、４０ｂ…負荷選択部、４０ｃ…演算部、４０ｄ…モード判定部、４１…スイッチ部、４２…スイッチ駆動部、ＳＷ１、ＳＷ２、ＳＷ３、ＳＷ４…スイッチ
【先行技術文献】
【特許文献】
【００５５】
【特許文献１】特許第５１２１４０３号公報
【図１】
2019090882.tif 000004
【図２】
2019090882.tif 000005
【図３】
2019090882.tif 000006
【図４】
2019090882.tif 000007
【図５】
2019090882.tif 000008
【図６】
2019090882.tif 000009
【図７】
2019090882.tif 000010
【図８】
2019090882.tif 000011
【図９】
2019090882.tif 000012
【図１０】
2019090882.tif 000013
【図１１】
2019090882.tif 000014
【図１２】
2019090882.tif 000015
【図１３】
2019090882.tif 000016
【図１４】
2019090882.tif 000017
【図１５】
2019090882.tif 000018